(57)【要約】標準の絶縁電力ケーブル及び／またはスイッチギア、変圧器、電力モータなどの電力設備と関連している検査データを獲得するためのデータ獲得システム及び方法が、開示されている。検査データは、その後、障害や放電（例えば、部分放電（PD）、コロナ放電、アーク放電、等）の存在などの不具合について分析されてもよい。システムは、獲得した検査データを、フラッシュメモリのような取り外し可能不揮発性メモリに記憶してもよい。取り外し可能メモリは、周期的に、熟練を要しない技術者によって回収され、高度に訓練された分析者によるその後の分析のために、研究所または他の検査施設に戻されてもよい。【選択図】      図１
2014515111.tif 000002
【特許請求の範囲】
【請求項１】
複数の負荷に電力を供給する複数の電力ケーブルを有する電力システムから１つ以上の放電イベントを獲得するための方法であって、前記方法は、
複数のセンサを備える前記電力システムの電力コンポーネントと関連している信号を検出することと、前記信号は、電力と１つ以上のノイズと放電を含んでおり、前記複数のセンサは、恒久的に前記電力システムと関連しており、
前記信号を前記電力システムとは別個のロケーションに伝送することと、
前記信号を前記ロケーションにおける取り外し可能コンピュータ記憶メディア上に検査データとして記憶すること
を含む方法。
【請求項２】
前記別個のロケーションは、前記電力システムの制限ゾーンの外側に設置されている、請求項１記載の方法。
【請求項３】
前記信号を記憶する前に、前記信号を処理すること
をさらに含む、請求項１及び２記載の方法。
【請求項４】
前記処理は、前記信号をフィルタリングすることと増幅することの少なくとも１つを含む、請求項３記載の方法。
【請求項５】
前記処理は、信号圧縮、ゼロスパン処理、ＦＦＴ処理からなるグループから選択される、請求項３記載の方法。
【請求項６】
インジケータデータは、前記検査データと合わせて記憶され、前記インジケータデータは、前記複数の電力ケーブルの前記それぞれの電力ケーブルに前記検査データを関連付けるデータを含む、請求項１記載の方法。
【請求項７】
前記インジケータデータは、時間と日付データを含む、請求項６記載の方法。
【請求項８】
インジケータデータは、前記検査データと合わせて記憶され、前記インジケータデータは、前記複数の電力ケーブルの前記それぞれの電力ケーブルに前記検査データを関連付けるデータを含む、請求項２乃至５記載の方法。
【請求項９】
前記インジケータデータは、時間と日付データを含む、請求項８記載の方法。
【請求項１０】
検査データとして前記信号を記憶することは、少なくとも１つの前記複数の電力ケーブルによって運ばれる前記電力の位相のために前記検査データを参照すること
を含む、請求項１記載の方法。
【請求項１１】
検査データとして前記信号を記憶することは、少なくとも１つの前記複数の電力ケーブルによって運ばれる前記電力の位相のために前記検査データを参照すること
を含む、請求項２乃至９記載の方法。
【請求項１２】
前記検査信号を記憶することは、予め決められたスケジュールに従って周期的に前記検査信号を記憶すること
をさらに含む、請求項１記載の方法。
【請求項１３】
前記周期的に、とは、１時間、１日、１週間、隔月、毎月、年４回からなるグループから選択される時間の期間を含む、請求項１２記載の方法。
【請求項１４】
前記検査信号を記憶することは、予め決められたスケジュールに従って周期的に前記検査信号を記憶すること
をさらに含む、請求項２乃至１１記載の方法。
【請求項１５】
前記検査信号を記憶することは、連続して各検査センサと関連している検査信号を記憶すること
をさらに含む、請求項１記載の方法。
【請求項１６】
前記検査信号を記憶することは、連続して各検査センサと関連している検査信号を記憶すること
をさらに含む、請求項２乃至１０記載の方法。
【請求項１７】
前記検査信号を記憶することは、同時に各検査センサと関連している検査信号を記憶すること
をさらに含む、請求項１記載の方法。
【請求項１８】
前記検査信号を記憶することは、同時に各検査センサと関連している検査信号を記憶すること
をさらに含む、請求項２乃至１０記載の方法。
【請求項１９】
前記電力コンポーネントは、複数のケーブルであり、前記信号は、前記複数のケーブルによって運ばれ、前記複数のセンサは、前記複数のケーブルに結合されている、請求項１乃至１８記載の方法。
【請求項２０】
電力システムの複数の電力コンポーネントと恒久的に関連している複数のセンサと、前記複数のセンサは、前記関連している電力コンポーネントでの放電イベントを感知するように構成され、
前記複数のセンサに結合され、前記電力システムから離れたロケーションにルートされる複数の信号ケーブルと、
前記複数の信号ケーブルに固定して取り付けられ、結合されるデータ獲得ユニットとを含み、前記ユニットは１つ以上のプロセッサ、リアルタイムクロック、取り外し不可能コンピュータ可読記憶メディアとを含み、前記取り外し不可能コンピュータ可読記憶メディアは、プログラム命令を記憶し、前記プログラム命令は、実行されるときに、少なくとも１つの前記複数のセンサによって検出され、選択された時間の期間で検査データとして前記データ獲得ユニットによって受信された信号を記憶するように構成されている、データ獲得システム。
【請求項２１】
前記ロケーションは、前記電力システムの制限ゾーンの外側に設置されている、請求項２０記載のデータ獲得システム。
【請求項２２】
前記データ獲得ユニットは、手動作動化スイッチを含み、前記プログラム命令は、実行されるとき、前記スイッチが作動されるときに前記検査データを記憶するように構成されている、請求項２０及び２１記載のデータ獲得システム。
【請求項２３】
前記プログラム命令は、実行されるとき、スケジュールに従って前記検査データを記憶するように構成されている、請求項２０及び２１記載のデータ獲得システム。
【請求項２４】
前記スケジュールは、１日、１週間、隔月、毎月、年４回からなるグループから選択される時間の期間を含む、請求項２３記載のデータ獲得システム。
【請求項２５】
前記プログラム命令は、実行されるとき、選択されたセンサから検査データを記憶するように構成されている、請求項２０乃至２４記載のデータ獲得システム。
【請求項２６】
前記プログラム命令は、実行されるとき、少なくとも１つの前記複数の電力ケーブルによって運ばれた前記電力の基準位相を示す信号を受信し、少なくとも１つの前記複数のセンサによって検出され、位相被基準検査データとして前記データ獲得ユニットによって受信された前記信号を記憶するように構成されている、請求項２０記載のデータ獲得システム。
【請求項２７】
前記プログラム命令は、実行されるとき、少なくとも１つの前記複数の電力ケーブルによって運ばれた前記電力の基準位相を示す信号を受信し、少なくとも１つの前記複数のセンサによって検出され、位相被基準検査データとして前記データ獲得ユニットによって受信された前記信号を記憶するように構成されている、請求項２１乃至２５記載のデータ獲得システム。
【請求項２８】
前記信号を処理するように構成された信号処理部を含み、前記信号の前記処理は、信号圧縮、ゼロスパン処理、ＦＦＴ処理、フィルタリング、増幅すること、アナログ−デジタル変換からなるグループから選択される、請求項２０記載のデータ獲得システム。
【請求項２９】
前記信号を処理するように構成された信号処理部を含み、前記信号の前記処理は、信号圧縮、ゼロスパン処理、ＦＦＴ処理、フィルタリング、増幅すること、アナログ−デジタル変換からなるグループから選択される、請求項２１乃至２７記載のデータ獲得システム。
【請求項３０】
取り外し可能コンピュータ可読記憶メディアをさらに含み、前記検査データは、前記取り外し可能コンピュータ可読記憶メディア上に記憶される、請求項２０記載のデータ獲得システム。
【請求項３１】
取り外し可能コンピュータ可読記憶メディアをさらに含み、前記検査データは、前記取り外し可能コンピュータ可読記憶メディア上に記憶される、請求項２１乃至２９記載のデータ獲得システム。
【請求項３２】
前記検査データをワイヤードまたはワイヤレス通信リンクを通じて離れた位置に伝送するように構成されているネットワークインタフェース
をさらに含む、請求項２０記載のデータ獲得システム。
【請求項３３】
前記検査データをワイヤードまたはワイヤレス通信リンクを通じて離れた位置に伝送するように構成されたネットワークインタフェース
をさらに含む、請求項２１乃至３１記載のデータ獲得システム。
【請求項３４】
電力システムにおけるデータ獲得システムをインストールする方法であって、前記電力システムは、複数の負荷に電力を届ける複数のケーブルを有し、前記方法は、
複数のセンサを前記電力システムの電力コンポーネントに結合することと、前記複数のセンサは、前記電力システムの電力コンポーネントと関連している信号を検出するように構成され、
複数の信号ケーブルを前記複数のセンサから前記電力システムの制限ゾーンの外側のロケーションにルートすることと、
前記電力システムの制限ゾーンの外側にある前記ロケーションにデータ獲得デバイスを固定して配置し、前記データ獲得デバイスに前記複数の信号ケーブルを接続することを含み、前記データ獲得デバイスは、
１つ以上のプロセッサ、
取り外し可能コンピュータ記憶メディアインタフェース、
コンピュータ可読記憶メディア、
プログラム命令を含み、前記プログラム命令は、前記コンピュータ可読記憶メディア上に記憶され、前記１つ以上のプロセッサによって実行されるとき、前記センサによって検出され、前記取り外し可能コンピュータ記憶メディアインタフェースと関連している取り外し可能コンピュータ記憶メディア上の前記データ獲得デバイスにルートされる信号を記憶するように構成されている、方法。
【請求項３５】
前記データ獲得デバイスに電力を供給すること
をさらに含む、請求項３４記載の方法。
【請求項３６】
取り外し可能コンピュータ可読記憶メディアを前記データ獲得デバイスの前記取り外し可能コンピュータ記憶メディアインタフェースに結合すること
をさらに含む、請求項３４及び３５記載の方法。
【請求項３７】
前記複数のセンサは、前記電力システムの前記電力ケーブルに恒久的に結合されており、前記データ獲得デバイスは、前記電力システムの前記制限ゾーンの外側の前記ロケーションに恒久的に取りつけられている、請求項３４記載の方法。
【請求項３８】
前記複数のセンサは、前記電力システムの前記電力ケーブルに恒久的に結合されており、前記データ獲得デバイスは、前記電力システムの前記制限ゾーンの外側の前記ロケーションに恒久的に取りつけられている、請求項３５及び３６記載の方法。
【請求項３９】
前記データ獲得デバイスは、恒久的にアクセスボックスに取り付けられている、請求項３４記載の方法。
【請求項４０】
前記データ獲得デバイスは、恒久的にアクセスボックスに取り付けられている、請求項３５乃至３８記載の方法。
【発明の詳細な説明】
【技術分野】
【０００１】
（関連出願の相互参照）
この出願は、その全てを参照することにより明確にここに組み込んでいる２０１１年４月２９日に出願した米国仮出願第６１／４８１，０７１号の利益を主張するものである。
【背景技術】
【０００２】
電気システムの時代では、絶縁資材内部の空洞、モータや変圧器巻線の絶縁の薄層化、絶縁表面の汚染、接地間隔への不適切な電圧などの不具合により放電が起こることがある。
【０００３】
これら電気的な放電の存在は、放置されていたらシステム障害を導き得る隠れた不具合のインジケータとなる。それどころか、放電自体、放電を支える材質を徐々に劣化させ、システム障害を導くだろう。これらの放電は、絶縁資材の内部で発生することがあり、これら放電イベントが絶対的な大きさにおいてとても小さくなり得るので、放電の存在は人間の感覚では気づき難い。
【０００４】
それに対応して、様々な検査デバイス及び方法が、放電の存在を検出するために、そして、その放電の根本原因とロケーションを特定しようと多様な物理的基準を用いてそれらの放電を分析するために、開発されている。
【０００５】
これらの検査は、データを獲得し、分析するための専門の検査設備と訓練された人員を必要とする。コストを含む、データ獲得作業員を現場に送る現実的観点により、検査を行うことのできる頻度が限定される。しばしば、検査は、システムの寿命の間の遅くに一度だけ行われる。他の場合では、通常の検査スケジュールがしっかりと組まれているが、そのスケジュールの増分は、一般には１年〜５年である。
【０００６】
また、湿気や雨などの外的条件を含むシステム条件を変えることは、一時的にある放電の大きさを変化させ得ることも知られている。照明の当たりや物理的損傷のような他のイベントは、瞬時にケーブルの状態を非常に変化させ得る。負荷のバリエーション、停電、電力サージ、切り替えのような組み込みの体系的条件でさえ、ケーブルの状態や、放電の強度を増加させたり、しばしば断続的にと変化させ得る。従って、まばらな検査頻度を導く現場の技術者コストの問題は、克服すべき不利点である。
【発明の概要】
【０００７】
本開示の実施形態の目的は、手動作動でも、自動化された検査／スリープモードスケジュールを使用することでも、データを自主的に取得する方法及び装置を提供し、上記で示された課題や他の課題を解決することである。幾つかの実施形態では、装置は、電力システムに恒久的に取り付けられているセンサを通して、データを受信するだろう。幾つかの実施形態では、データは、システムのデジタル記憶空間を最小化するために処理されるだろう。ここに記述した実施形態では、データは、取り外し可能メディアに記憶されるだろう。または、データは、ワイヤまたは無線でデータ転送のための通信プロトコルを備えたデバイスを装備することで回収されてもよい。検査する頻度を自動化することで、多数の技術者の来訪を必要とせずに、データトレンディングを行える。データをデバイスからその分析者に転送することは、専門の訓練を全く必要としない現場にいる人員が行うことができる。本開示の幾つかの実施形態による現場で行われる処理を限定することで、安価にデバイスを製造することができ、現場で検査するときに比べると、有益なコスト／恩恵を提供する。従って、本開示の実施形態は、高度な専門の分析者によって行われる分析に対する現在のニーズを妥協することなく、現存するシステム固有の不利点に対処している。
【０００８】
本開示の観点に従って、複数の負荷に電力を供給する複数の電力ケーブルを有する電力システムから１つ以上の放電イベントを獲得するための方法が与えられている。方法は、複数のセンサを備える電力システムの電力コンポーネントと関連している信号を検出することを含む。信号は、電力と１つ以上のノイズと放電を含んでおり、複数のセンサは、恒久的に電力システムと関連している。方法は、同様に、信号を電力システムとは別個のロケーションに伝送することと信号をそのロケーションにおける取り外し可能コンピュータ記憶メディア上に検査データとして記憶することを含む。
【０００９】
本開示の別の観点に従って、データ獲得システムが提供されている。システムは、電力システムの複数の電力コンポーネントと恒久的に関連している複数のセンサを含む。複数のセンサは、関連している電力コンポーネントでの放電イベントを感知するように構成されている。システムは、また、複数のセンサに結合され、電力システムから離れたロケーションにルートされる複数の信号ケーブルと、複数の信号ケーブルに固定して取り付けられ、結合されるデータ獲得ユニットを含む。１つの実施形態では、データ獲得デバイスは、恒久的にそのロケーションに取り付けられている。ユニットは、１つ以上のプロセッサ、リアルタイムクロックと、取り外し不可能コンピュータ可読記憶メディアとを含み、取り外し不可能コンピュータ可読記憶メディアは、プログラム命令を記憶し、プログラム命令は、実行されるときに、少なくとも１つの複数のセンサによって検出され、選択された時間の期間で検査データとしてデータ獲得ユニットによって受信された信号を記憶するように構成されている。
【００１０】
本開示の別の観点に従って、電力システムにおいてデータ獲得システムをインストールする方法が提供されている。電力システムは、複数の負荷に電力を届ける複数のケーブルを含む。方法は、複数のセンサを電力システムの電力コンポーネントに結合することを含む。複数のセンサは、電力システムの電力コンポーネントと関連している信号を検出するように構成されている。方法は、同様に、複数の信号ケーブルを複数のセンサから電力システムの制限ゾーンの外側のロケーションにルートすること、及び、電力システムの制限ゾーンの外側にあるロケーションにデータ獲得デバイスを固定して配置し、データ獲得デバイスに複数の信号ケーブルを接続することを含む。１つの実施形態では、データ獲得デバイスは、恒久的にそのロケーションに取り付けられている。データ獲得デバイスは、１つ以上のプロセッサ、取り外し可能コンピュータ記憶メディアインタフェース、コンピュータ可読記憶メディア、プログラム命令を含み、プログラム命令は、コンピュータ可読記憶メディア上に記憶され、１つ以上のプロセッサによって実行されるとき、センサによって検出され、取り外し可能コンピュータ記憶メディアインタフェースと関連している取り外し可能コンピュータ記憶メディア上のデータ獲得デバイスにルートされる信号を記憶するように構成されている。
【００１１】
この概要では、コンセプトを選択し簡略化した形態で紹介した。さらに詳しくは、下記の詳細な説明でさらに記述する。この概要は、請求項記載の主題の重要な特徴を特定することを意図しておらず、請求項記載の主題の範囲を決定する手がかりとして使用されることも意図していない。
【００１２】
前述した観点と本願発明に付帯する多くの利益は、以下添付の図面と合わせると、以下の詳細な説明を参照することでより良く理解されるようになり、さらに容易に正しく認識されるだろう。
【図面の簡単な説明】
【００１３】
【図１】電力システムと関連したデータ獲得システムの１つの実施形態の概略図である。
【図２】絶縁電力ケーブルに容量性結合した本開示の観点に従って形成されたセンサを表す斜視図である。
【図３】終端のＬ字部の一部として一体形成されているセンサの部分断面図である。
【図４】本開示の観点に従って形成されたデータ獲得システムの１つの実施形態のブロック図である。
【図５】本開示の観点に従って形成されたデータ獲得システムの別の実施形態のブロック図である。
【図６】本開示の観点に従って形成されたデータ獲得システムの更なる別の実施形態のブロック図である。
【図７】本開示の観点に従って形成されたデータ獲得システムのなお更なる別の実施形態のブロック図である。
【図８】本開示の観点に従って形成されたデータ獲得システムのなお更なる別の実施形態のブロック図である。
【発明を実施するための形態】
【００１４】
同じ番号は同じ要素について言及している添付の図面と関係して下記に示される詳細な説明は、開示された主題の様々な実施形態の記述を意図しており、これらの実施形態だけを代表する意図はない。本開示に記述されている各実施形態は、単に例または例示として提供され、他の実施形態と比較して好ましいまたは有益であると解釈されるべきではない。ここに提供されている例示となる例は、網羅的であったり、開示された正確な形態に本開示を限定したりする意図はない。同様に、ここに記述されたいずれかのステップは、同一のまたはほぼ同様の結果を実現するために、他のステップやステップの組み合わせと交換可能であってもよい。
【００１５】
本開示の実施形態は、一般的に、標準の絶縁電力ケーブルとスイッチギア、変圧器、電力モータなどの電力設備と関連している検査データを獲得するためのデータ獲得システムとその方法を対象としている。検査データは、その後、障害や放電（例えば、部分放電（PD）、コロナ放電、アーク放電、等）の存在などの不具合について分析されてもよい。以下でより詳細に記述されるように、本開示のいくつかの実施形態は、フラッシュメモリのような取り外し可能で不揮発性メモリ上に、獲得された検査データを記憶する。取り外し可能メモリは、周期的に、熟練を要しない技術者によって回収され、高度に訓練された分析者によるその後の分析のために、研究所または他の検査施設に戻されてもよい。
【００１６】
以下の記述において、本開示の例示的な実施形態を完全に理解するために、多数の具体的な詳細が示されている。しかし、本開示の多くの実施形態は、具体的な詳細の幾つかまたは全てが無くても実行されてもよいことは、当業者には明らかであろう。幾つかの例では、良く知られた処理ステップは、本開示の様々な観点を不必要に不明確にしないように、詳細に記述していない。本開示の実施形態は、ここに記述された特徴のいずれかの組み合わせを使用してもよいことが、正しく認識されるだろう。
【００１７】
図１を参照すると、電力システム１２からの放電イベントを示すデータを獲得するための本開示の観点に従って形成されたデータ獲得システム１０の一例の概略図が示されている。例示のために、電力システム１２は、複数の電力ケーブル１６を介して電力（例えば、６０Ｈｚ、ＡＣ電力）を受信する複数の負荷１４を含むものとして示されている。幾つかの実施形態では、電力システム１２は、プラント、変電所、工場施設などに設置され、負荷１４は、変圧器、スイッチギア、電力モータ、ディストリビューションブロック及び／または同様のもののような電力設備の形態をとる。
【００１８】
図１に最も良く示されているように、データ獲得システム１０は、センサ３２Ａ〜３２Ｎで示される１つ以上のセンサ３２を含み、センサ３２は、負荷１４が電力ケーブル１６から電力を受信するときに放電イベントを検出するために、電力ケーブル１６と関連している。放電イベントは、電力ケーブル１６及び／または負荷（例えば、モータ、変圧器、スイッチギアなど）と関連している電力コンポーネントと関連し得ることが、正しく認識されるだろう。本開示の幾つかの実施形態では、１つ以上のセンサ３２が、５０Ｈｚまたは６０Ｈｚの周波数電力を運ぶ「活きている（ｌｉｖｅ）」電力ケーブル１６上に伝送される１つ以上の信号を感知する。ここで使用されているように、用語「活きている（ｌｉｖｅ）」または「オンライン」は、電力が、電力ケーブルに沿って現在伝送されていることを言う。センサ３２Ａ〜３２Ｎは、信号ケーブル３４を介してデータ獲得ユニット２４に結合されている。センサ３２は、検出された信号を、記憶し、そして、オプション的に表示するためにデータ獲得ユニット２４に伝送する。記憶された信号は、熟練してない人員によって回収され、その後の分析のため、高度に熟練した技術者の元に送られてもよい。
【００１９】
図面１〜４を参照すると、データ獲得システム１０のコンポーネントは、更に詳細に記述されるだろう。簡単に上述した通り、１つ以上のセンサ３２は、絶縁電力ケーブル及び／または変圧器、スイッチギア、電力モータなどのそれらに関連する電力設備をモニターする。１つの実施形態では、１つ以上のセンサ３２が、一度の期間にわたってオンラインの電力ケーブル１６に沿って移動する１つ以上の信号を感知する。どのような場合でも、センサ３２によって感知された１つ以上の信号（以下、「検査信号」とする）は、電力周波数に依る第１の信号コンポーネントと、障害や、放電（例えば部分放電のような内部放電とコロナ放電、アーク放電などのような外部放電両方を含む）や、または、例えば、電力ケーブル、電力ケーブルに結合された電力設備、電力ケーブルと電力設備の間の接続などによって起こる他の不具合に依る第２の高周波数信号コンポーネント、そして、ノイズ、干渉などに依る第３の信号コンポーネントを含むかもしれない。
【００２０】
センサ３２は、検査される電力システムの電力コンポーネント（例えば、電力ケーブルや、変圧器、スイッチギア、電力モータ、ディストリビューションブロックなどの電力設備や、同様のもの）に関していずれかの適当な検査のロケーションで、恒久的に、または半恒久的に、電力システム１２に配置されてもよい。いくつかの実施形態では、センサ３２は、ケーブル接続などの近傍にあるような絶縁電力ケーブルの方向に沿って、終端ロケーション（例えば、電力設備など）の近傍で、所定の位置に固定されてもよい。センサ３２は、電力システムの電力コンポーネントに、容量性結合または誘導結合どちらかをされることができる。１つの実施形態では、センサ３２はそれぞれ、図２に最もよく示されるように、電力ケーブル１６それぞれに容量性結合されているＵ字型金属（例えば、銅など）プローブのような、容量性の信号プローブを含んでいる。他の実施形態では、センサ３２は、電気モータのコンポーネント、スイッチギア、変圧器などでもよい。さらに他の実施形態では、図３に図示されるように、１つ以上のセンサ３２は、終端Ｌ字部Ｔのコンポーネントでもよく、絶縁電力ケーブル１６に容量性結合されてもよい。その点については、センサ３２は、終端Ｌ字部のハウジングと一体形成されてもよいし、電力ケーブル１６に容量性結合されるように配置されてもよい。負荷１４に関連している電力コンポーネントに一度結合されると、センサ３２は、関連している検査信号を感知することができる。
【００２１】
センサ３２は、感知された検査信号をオプションの処理と記憶などのために信号ケーブル３４を介してデータ獲得ユニット２４に伝送する。信号ケーブル３４は、センサ３２から、電力システム１２から離れたロケーション３６にルートされ得る。幾つかの実施形態では、ロケーション３６は、電力システム１２からの危険がなく、人員にとってプラント、変電所、施設などから容易にアクセス可能なロケーションである。例えば、ロケーション３６は、電力システム１２の制限ゾーンの外側のロケーションでもよい。幾つかの実施形態では、制限ゾーンは、労働現場特定の必要条件やとりわけ工業的設定で他の非電気的危険を扱う他のコードの代わりに、または、それに加えて、ＯＳＨＡ  ２９ＣＦＲ  １９１０．２６９（高電圧電気安全のための労働安全衛生庁）とＮＥＳＣ（ＩＥＥＥ発行の国家電気安全コード）で概説されているような政府の安全基準で示されていてもよい。
【００２２】
ロケーション３６で、信号ケーブル３２は、データ獲得ユニット２４で終了する。いくつかの実施形態では、信号ケーブルは、アクセスボックス３８にルートされ、アクセスボックス３８は、データ獲得ユニット２４を収容する。これらの実施形態では、アクセスボックス３８は、プラント、変電所、施設などの多少苛酷な環境に耐えるように構成されている。幾つかの実施形態では、アクセスボックス３８は、データ獲得ユニット２４に選択的アクセスを提供するために密閉可能なパネルやふたで構成されることができる。
【００２３】
図４を参照すると、データ獲得ユニット２４の１つの代表的な実施形態のコンポーネントは、更なる詳細で記述されるだろう。図４に最もよく示されているように、データ獲得ユニット２４は、１つ以上の通信バス６０を介して適切に相互に連結される１つ以上のプロセッサ４４、メモリ４８、クロック５２、リアルタイムクロック５４を含んでもよい。
【００２４】
図４にさらに表されるように、データ獲得ユニット２４は、例えば、１つ以上のセンサ３２とインタフェースで接続するためのＩ／Ｏインタフェース６４を含んでもよい。図示されるように、センサ３２によって感知された検査信号は、信号ケーブル３４Ａ〜３４Ｎを介してＩ／Ｏインタフェース６４によって受信され、プロセッサ４４に伝送される。
【００２５】
図４に示された実施形態では、マルチプレクサまたはＭＵＸ７６は、Ｉ／Ｏインタフェース６４とプロセッサ４４の間に提供されている。いくつかの実施形態では、ＭＵＸ７６は、１つ以上のセンサ３２の検査信号を組み合わせることができ、組み合わされた信号をプロセッサ４４に出力することができる。他の実施形態では、ＭＵＸ７６は、プロセッサ４４によって制御され、センサ３２の１つから望ましいインプット信号を選択することができる。どちらの場合でも、プロセッサ４４は、信号を受信し、信号を処理し（オプション）、その後の分析のためにメモリ４８に検査データのような信号を記憶する。プロセッサ４４は、検査データと合わせて記憶されるインジケータデータを含んでもよいことが、正しく認識されるだろう。検査データに記憶されているインジケータデータは、信号が検出された電力ケーブルそれぞれと検査データを関連させる。タイムスタンプまたは獲得の日時を示す他の類似のデータもまた、当該分野における周知の技術を通じて検査データに記憶される。
【００２６】
ＭＵＸ７６によって出力された信号は、プロセッサ４４に到着する前に、信号処理部８０によってオプション的に処理されてもよいことは、正しく認識されるだろう。例えば、図５に示された１つの実施形態では、信号は、エイリアス除去フィルタ８２によって調整され、プログラマブル利得増幅器８４によって増幅され、Ａ／Ｄ変換器８６によってアナログ−デジタル変換されてもよい。他の処理、例えば、１０ｋＨｚと１ＧＨｚの間の周波数に対するバンドパスフィルタリングなどが、あってもよい。幾つかの実施形態のＡ／Ｄ変換器８６は、毎秒４００メガサンプル（ＭＳＰＳ）またはそれ以上のサンプリング速度を有する少なくとも１４ビットのＡ／Ｄ変換器である。他のサンプリング速度が、本開示の実施形態で実行されてもよい。そこでは、毎秒２０メガサンプル（ＭＳＰＳ）、毎秒１００メガサンプル（ＭＳＰＳ）またはそれ以上を含む。信号処理部８０によって実行される処理が、デジタル回路及び／またはソフトウェアを介して、デジタルドメインにおいて発生することができることが、正しく認識されるだろう。同様に、ＭＵＸ７６は、当該技術で周知のように、アナログＭＵＸまたはデジタルＭＵＸでもよい。
【００２７】
ここで使用されているように、プロセッサという用語は、コンピュータにおける技術で言及される集積回路に限定されずに、広く、その他の中のマイクロコントローラ、マイクロコンピュータ、マイクロプロセッサ、プログラマブルロジックコントローラ、アプリケーション特定集積回路および他のプログラマブル回路を含む、しかし、限定されない何らかの一般の処理デバイスについて言及している。当業者及び他者は、プロセッサ４４が、プロセッサ４４にプログラムされているか、メモリ４８から利用可能どちらかの、ロジック、命令などの実行をサポートしてデータ獲得ユニット２４の計算センターとして役割を果たすことを認識するだろう。そのように、ここに記述されたロジックは、ハードウェア、ソフトウェアまたはハードウェアとソフトウェアの組み合わせで、実現されてもよい。
【００２８】
図４に表されているメモリ４８は、本開示の観点を実現するために検査データとオプションのプログラムモジュールを記憶するように適合するコンピュータ可読メディアの一例である。ここで使用されているように、用語「コンピュータ可読メディア」は、コンピュータ可読命令、データ構造、プログラムモジュールまたは他のデータのような情報を記憶することができる何らかの方法またはテクノロジーにおいて実現される揮発性、不揮発性、取り外し可能、取り外し不可能メモリを含む。メモリ４８は、プログラマブルＲＯＭ（ＰＲＯＭ）、消去可能プログラマブルＲＯＭ（ＥＰＲＯＭ）、及び、電気的消去可能ＰＲＯＭ（ＥＥＰＲＯＭ）などのリードオンリーメモリ（ＲＯＭ）と、ランダムアクセスメモリ（ＲＡＭ）および記憶メモリを含んでもよい。
【００２９】
記憶メモリは、コンピュータ可読命令、データ構造、プログラムモジュールおよび検査データの不揮発性記憶を提供する。１つの実施形態では、記憶メモリは、例えばハードディスクドライブ、ソリッドステートドライブ、フラッシュドライブなどのハードドライブの形態での取り外し不可能不揮発性コンピュータ可読メディア（以下、「取り外し不可能メモリ６６」）、および、フラッシュメモリの形態での取り外し可能不揮発性コンピュータ可読メディア（以下、「取り外し可能メモリ７０」）を含んでもよい。取り外し可能不揮発性フラッシュコンピュータ可読メディアは、ＵＳＢメモリスティックやＳＤやコンパクトフラッシュ（登録商標）カードや当該技術で周知の他のフォーマットを含む、デバイスの形態をとってもよい。取り外し可能メモリ７０を含む実施形態では、データ獲得ユニット２４のＩ／Ｏ回路６４、または、別個の回路（図示せず）は、バス６０に接続されることができ、少なくとも１つのポート、スロット、または、フラッシュメモリデバイスが操作上接続されることができる他の取り外し可能メモリインタフェースを含む。
【００３０】
他の取り外し可能メモリ７０とその関連するリーダ／ライタは、本開示の観点で実行されてもよいことが正しく認識されるだろう。例えば、プロセッサは、ＰＣＭＣＩＡタイプＩまたはタイプＩＩメモリカード、取り外し可能磁気ディスク、デジタル多用途ディスク（ＤＶＤ）、ブルーレイ（登録商標）、または、他の大容量デジタル多用途ディスク上で、ＰＣＭＣＩＡスロット、光学ディスクドライブ、磁気ディスクドライブなどのようなそれぞれのリーダ／ライタデバイスを介して、データの記憶を実施してもよい。１つの実施形態では、データ獲得ユニットは、フラッシュメモリまたは他の取り外し可能メモリの存在を認識するように構成されたソフトウェアモジュールまたはロジックを含む。
【００３１】
簡単に上述した通り、プロセッサ４４は、検査データを累積し、記憶し、及び／または転送するデータ獲得ユニット２４内の応答性を有する。ロジックは、プロセッサ４４によって提供されて実行され、処理（オプション）し、検査データを取り外し不可能メモリ６６か取り外し可能メモリ７０どちらかに記憶し、検査データの取り外し不可能メモリ６６から取り外し可能メモリ７０への転送を実施する。取り外し不可能メモリ６６を省略する実施形態では、プロセッサ４４は、処理を実施し、検査データを直接取り外し可能メモリ７０に記憶する。プロセッサ４４によるデータの記憶は、リアルタイムクロック５４により与えられた情報からのタイムスタンプ（日付と時間）を含んでもよいことは、正しく認識されるだろう。
【００３２】
データ記憶モジュール７２を含むアプリケーションプログラムのようないくらかのプログラムモジュールは、メモリ４８に記憶されても良い。データ記憶モジュール７２は、自動的にプロセッサ４４による命令（例えば、時間に基づいた命令）を介して実現されてもよく、リアルタイムクロックの援助で、プロセッサ４４に、周期的な間隔（例えば、毎時、毎日１２時、週に１度、月に１度など）または、取り外し可能メモリ７０上のプログラムベースで検査データを記憶するように命令する。別の実施形態では、データ記憶モジュール７２は、手動作動化スイッチ９２から受信した信号を介して検査データの記憶をもたらしてもよい。いずれにしても、記憶プロセスは、取り外し不可能メモリ６６上に記憶された検査データの収集物から検査データを転送してもよいし、または、取り外し可能メモリ７０上に１つ以上のセンサ３２から同時に受信した検査データを直接記憶してもよい。データ記憶モジュール７２はまた、検査データを収集し記憶する時間期間（例えば、２秒、１０秒、１分など）を決定してもよい。
【００３３】
いくつかの実施形態では、ＭＵＸ７６は、取り外し可能メモリ７０上の記憶の適切な増分で、センサ３２から検査信号を連続して受信するように制御されることができる。ＭＵＸ７６は、周期的ベース及び／または選択された期間で、センサ３２の部分集合（センサ３２の内の１つの部分集合を含む）から検査信号を選択的に受信するために、データ記憶モジュール７２によるような、プログラム命令によって制御されてもよいことが、正しく認識されるだろう。例えば、電力システムは、他の電力ケーブル及び／または電力システムの電力コンポーネントと比較して、より長い時間の期間使用されている１組の電力コンポーネント（例えば、電力ケーブル、電気モータ、変圧器など）を含んでもよい。この場合には、データ記憶モジュール７２は、１週間に一度などのように１つの時間の期間で、部分集合またはより古いコンポーネントに関連しているセンサから検査データを受信し、１月に一度などのように時間の別の、異なる時間期間で、より新しいコンポーネントの部分集合と関連しているセンサから検査データを受信するようにＭＵＸ７６を制御するように構成されてもよい。
【００３４】
メモリ４８は、１つ以上の処理モジュール９０をオプション的に含んでいてもよい。１つ以上の処理モジュール９０は、プロセッサ４４によって実行されるときに、メモリ４８への記憶の前に検査データを処理するように構成される。幾つかの実施形態では、検査データを処理することは、フィルタリング、利得調整などを含んでもよい。追加的に、または、代替的に、検査データを代替的にまたは追加的に処理することは、ゼロスパン処理、高速フーリエ変換（ＦＦＴ）処理、データ圧縮などを含んでもよい。
【００３５】
データ獲得ユニット２４は、さらに電力調整及び管理部１００を含んでいる。電力調整及び管理部１００は、１つ以上のバッテリーから電力を受信することもできるし、関連している電力設備、施設などから標準”メイン”電力を受信してもよい。追加的に、電力部は、浮遊磁場、温度の差異、光、振動などから派生する電力のような寄生電力を”取り入れる（ｈａｒｖｅｓｔ）”ことができる電力源と関連することができる。電力調整及び管理部１００は、データ獲得ユニット２４の様々なコンポーネントに供給された電力を調整するように構成されてもよい。幾つかの実施形態では、電力調整及び管理部１００は、使用中でないときは、システムのセクションをシャットダウンすることで、低電力モードを提供するように構成され、システムをスリープモードにするように構成されることもできる。
【００３６】
こうしてエネルギー節約を提供することができ、エネルギー節約はシステムがバッテリー動力のときに、非常に利益がある。電力調整及び管理部１００は、データ獲得ユニット２４がスケジュールされた検査データ獲得を行うことができるように、”起動”イベントを開始するか、そうでなければ、リアルタイムクロック信号を使用してスリープモードからシステムを起動するように構成されてもよい。幾つかの実施形態では、電力部１００のこれらの機能は、リアルタイムクロック５４に組み込まれることができる。
【００３７】
本開示のいくつかの実施形態に従って、プロセッサ４４は、検査データの位相基準記憶を提供してもよい。図６に示されている１つの実施形態では、データ獲得ユニット２４は、さらに、基準電圧１０４及びトリガジェネレータ１０６を含んでもよい。基準電圧１０４は、電力ケーブル１４によって運ばれる電力または電力システムの電力コンポーネントに供給される電力の電圧と位相を示す。トリガジェネレータ１０６は、プロセッサ４４が、メモリ４８に位相被基準検査データを記憶するために、基準電圧１０６から基準電圧を受信し、プロセッサ４４にトリガを提供する。
【００３８】
別の実施形態では、システムは、電力ケーブル１４を通じて伝送される電力の周波数に獲得した信号の記憶の同期を準備する。そのためには、例えば、図７に示されるようにデータ獲得ユニット２４の実施形態は、データ獲得ユニット２４によって記憶された検査データをセンサを結合された電力ケーブルの１つを通じて伝送される電力周波数に同期されることを可能にするプロセッサ４４に情報を提供する同期装置９０をオプション的に含んでもよい。１つの実施形態では、同期装置９０は、正確な位相分解データ獲得のために、位相角基準、または、トリガ信号を提供する。同期装置９０のトリガ信号を受信して、プロセッサ４４は、この先の分析のためにメモリ４８に位相分解信号データの記憶を始める。本開示で実行されてもよいハードウェア及び／またはソフトウェアで実現されているいくつかの同期装置の更なる詳細な記述は、参照することによりここに組み込んでいる２００９年１０月２６日出願された同時係属出願ＵＳ出願番号１２／６０５，９６４を参照されたい。
【００３９】
図８に示される別の実施形態では、データ獲得ユニット２４は、データをローカル的に記憶し、及び／または、データを記憶のためにローカルな及び／または離れたロケーションに伝送するように構成されてもよい。その点について、データ獲得ユニット２４は、いずれか適切なワイヤードまたはワイヤレス通信プロトコルを使用して、インターネット、セルラネットワークなどのようなパーソナルエリアネットワーク（ＰＡＮ）、ローカルエリアネットワーク（ＬＡＮ）、ワイドエリアネットワーク（ＷＡＮ）を通じて、プロセッサ４４から、セルラ電話、ＰＤＡ’ｓ、ラップトップコンピュータ、端末ネットワーク、汎用演算デバイス、デスクトップコンピュータなどのようなローカルなまたは離れたデバイスへ命令を介してデータを伝送するために１つ以上のコンポーネントを含むネットワークインタフェース９４をさらに含んでもよい。本開示の実施形態で実行されてもよい幾つかのワイヤードプロトコルは、ＳＣＡＤＡとＩＥＣ６１８５０を含む。ネットワークインタフェース９４は、１つ以上のネットワークを通じて通信を行うために、モデム、送信回路、送信／受信回路、または、トランシーバ回路を含むコンポーネントを含んでもよいことが理解されるべきである。ワイヤレスに通信するためには、ネットワークインタフェース９４は、１つ以上の適切なアンテナ９６を含んでもよい。
【００４０】
１つの実施形態では、ネットワークインタフェース９４は、プロセッサ４４からの命令を介してその後の回収と分析のために、離れたロケーションに配置された離れた記憶デバイスへ検査データをワイヤレスに伝送するように構成されている。その点については、ネットワークインタフェース９４は、１つ以上のワイヤレス通信プロトコルを使用して、通信するように構成されてもよい。例えば、ネットワークインタフェース９４は、ＩＳＭ帯域上などで、ＩＥＥＥ８０２．１１とＩＥＥＥ８０２．１６ネットワーク、セルラネットワーク、サテライトネットワーク、ＲＦネットワークの１つ以上を通じて、ワイヤレスデータ転送を許可する通信回路を含んでもよい。ネットワークインタフェース９４は、上記に特定されたプロトコルを使用して通信を行うために、送信機、送信機／受信機回路を含む他のコンポーネントを含んでもよいことが、理解されるべきである。あくまで例であるが、これらのコンポーネントは、セルララジオ、または、モデム、サテライト通信インタフェース、ＲＦ通信インタフェースなどを含んでもよいが、限定はされない。
【００４１】
電力システムのデータ獲得システム１０をインストールする１つの方法を述べる。図１に示されている電力システム１２のような電力システムは、電力を複数の負荷１６に届ける複数のケーブル１４を含んでもよい。一般的な記述では、訓練された技術者は、複数のセンサ３２を、電力システム１２の電力ケーブル１４のような関連している電力コンポーネントに容量性または誘導結合する。センサ３２は、所定の位置に置いたままにされ１年〜３年またはそれ以上の寿命スパンで動作するように、恒久的または半恒久的に、電力コンポーネントに結合されている。次に、信号ケーブル３４が、複数のセンサ３２に接続され、信号ケーブル３４は、別個のロケーションにルートされる。１つの実施形態では、ロケーションは、制限ゾーンの外側に設置され、訓練されていない人員がアクセスする。１つの実施形態の信号ケーブル３４の端部は、アクセスボックス３８で終了する。データ獲得ユニット２４は、恒久的にまたは半恒久的にアクセスボックス３８に取り付けられ、信号ケーブル３４に接続される。また、データ獲得ユニット２４は、ＡＣ電源の低い電圧源に接続されてもよい。取り外し可能コンピュータ記憶メディアは、データ獲得ユニット２４に結合されることができる。
【００４２】
本開示の実施形態は、多くの利益を提供し、そのうちの幾つかが、ここで記述されるだろう。例えば、データ獲得ユニットは、バッテリー動力であることが可能なので、データ獲得ユニットは、記録されたデータを分析できる現場の分析者が全くいない離れたロケーションにインストールされてもよい。データ獲得ユニットは、フラッシュメモリのような取り外し可能メモリ上に検査データを記憶することができるので、信号分析に熟練していない人員が、周期的に取り外し可能メモリを回収し、取り外したメモリを空の取り外し可能メモリデバイスと取り替えることができる。この概要では、この人員は、データの分析および同様のことのために専門の分析者に、ワイヤレスまたはワイヤードネットワークを介して電気的に、または、郵便で物理的に、検査データを送ることができる。
【００４３】
データ獲得ユニットは、また、プラント、変電所、工場施設などにインストールされるときも利益がある。それは、そのようなインストールする現場で、訓練された分析者が現場にいなくてよいからである。むしろ、取り外し可能記憶メディアを周期的に回収し、そこに記憶された検査データを分析のための離れた検査施設に送ることができる。
【００４４】
原則、代表的な実施形態、本開示の動作のモードは、前の記述に記述されている。しかし、保護される意図である本開示の観点は、開示された特別な実施の形態に限定されるように解釈されるべきではない。さらに、ここに記述された実施の形態は、限定というよりむしろ例示とみなされるべきである。バリエーションや変化が、本開示の精神から出発せずに、他者によってなされ、均等物が用いられるかもしれないことが、正しく認識されるだろう。従って、全てのそれらのバリエーション、変化、均等物が、本開示の精神および範囲内にあることが、明確に意図されている。
【００４５】
排他的財産または特権が特許請求される本発明の実施形態は、以下に定義される。
【図１】
2014515111.tif 000003
【図２】
2014515111.tif 000004
【図３】
2014515111.tif 000005
【図４】
2014515111.tif 000006
【図５】
2014515111.tif 000007
【図６】
2014515111.tif 000008
【図７】
2014515111.tif 000009
【図８】
2014515111.tif 000010
【手続補正書】
【提出日】平成26年1月6日(2014.1.6)
【手続補正１】
【補正対象書類名】特許請求の範囲
【補正対象項目名】全文
【補正方法】変更
【補正の内容】
【特許請求の範囲】
【請求項１】
複数の負荷に電力を供給する複数の電力ケーブルを有する電力システムから１つ以上の放電イベントを獲得するための方法であって、前記方法は、
複数のセンサを備える前記電力システムの電力コンポーネントと関連している信号を検出することと、前記信号は、電力と1つ以上のノイズと放電を含んでおり、前記複数のセンサは、恒久的に前記電力システムと関連しており、
前記信号を前記電力システムとは別個のロケーションに伝送することと、前記別個のロケーションは、前記電力システムの制限ゾーンの外側に設置され、
前記信号を前記ロケーションにおける取り外し可能コンピュータ記憶メディア上に検査データとして記憶すること
を含む方法。
【請求項２】
前記信号を記憶する前に、前記信号を処理すること
をさらに含む、請求項１記載の方法。
【請求項３】
前記処理は、前記信号をフィルタリングすることと増幅することの少なくとも１つを含む、請求項２記載の方法。
【請求項４】
前記処理は、信号圧縮、ゼロスパン処理、ＦＦＴ処理からなるグループから選択される、請求項２記載の方法。
【請求項５】
インジケータデータは、前記検査データと合わせて記憶され、前記インジケータデータは、前記複数の電力ケーブルの前記それぞれの電力ケーブルに前記検査データを関連付けるデータを含む、請求項１記載の方法。
【請求項６】
前記インジケータデータは、時間と日付データを含む、請求項５記載の方法。
【請求項７】
インジケータデータは、前記検査データと合わせて記憶され、前記インジケータデータは、前記複数の電力コンポーネントの前記それぞれの電力コンポーネントに前記検査データを関連付けるデータを含む、請求項１記載の方法。
【請求項８】
検査データとして前記信号を記憶することは、少なくとも１つの前記複数の電力コンポーネントと関連している前記電力の位相のために前記検査データを参照することを含む、請求項１記載の方法。
【請求項９】
前記検査信号を記憶することは、予め決められたスケジュールに従って周期的に前記検査信号を記憶すること
をさらに含む、請求項１記載の方法。
【請求項１０】
前記周期的に、とは、１時間、１日、１週間、隔月、毎月、年４回からなるグループから選択される時間の期間を含む、請求項９記載の方法。
【請求項１１】
前記検査信号を記憶することは、連続して各検査センサと関連している検査信号を記憶すること
をさらに含む、請求項１記載の方法。
【請求項１２】
前記検査信号を記憶することは、同時に各検査センサと関連している検査信号を記憶すること
をさらに含む、請求項１記載の方法。
【請求項１３】
前記複数の電力コンポーネントは、複数のケーブルであり、前記信号は、前記複数のケーブルによって運ばれ、前記複数のセンサは、前記複数のケーブルに結合されている、請求項１記載の方法。
【請求項１４】
電力システムの複数の電力コンポーネントと恒久的に関連している複数のセンサと、前記複数のセンサは、前記関連している電力コンポーネントでの放電イベントを感知するように構成され、
前記複数のセンサに結合され、前記電力システムから離れたロケーションにルートされる複数の信号ケーブルと、
前記複数の信号ケーブルに固定して取り付けられ、結合されるデータ獲得ユニットとを含み、前記ユニットは１つ以上のプロセッサ、リアルタイムクロック、取り外し不可能コンピュータ可読記憶メディアとを含み、前記取り外し不可能コンピュータ可読記憶メディアは、プログラム命令を記憶し、前記プログラム命令は、実行されるときに、少なくとも１つの前記複数の電力コンポーネントと関連している前記電力の基準位相を表示する信号を受信し、少なくとも1つの前記複数のセンサによって検出され、選択された時間の期間で位相された被基準検査データとして前記データ獲得ユニットによって受信された信号を記憶するように構成されている、データ獲得システム。
【請求項１５】
前記ロケーションは、前記電力システムの制限ゾーンの外側に設置されている、請求項１４記載のデータ獲得システム。
【請求項１６】
前記データ獲得ユニットは、手動作動化スイッチを含み、前記プログラム命令は、実行されるとき、前記スイッチが作動されるときに前記検査データを記憶するように構成されている、請求項１４または１５記載のデータ獲得システム。
【請求項１７】
前記プログラム命令は、実行されるとき、スケジュールに従って前記検査データを記憶するように構成されている、請求項１４または１５記載のデータ獲得システム。
【請求項１８】
前記スケジュールは、１日、１週間、隔月、毎月、年４回からなるグループから選択される時間の期間を含む、請求項１７記載のデータ獲得システム。
【請求項１９】
前記プログラム命令は、実行されるとき、選択されたセンサから検査データを記憶するように構成されている、請求項１７記載のデータ獲得システム。
【請求項２０】
前記信号を処理するように構成された信号処理部を含み、前記信号の前記処理は、信号圧縮、ゼロスパン処理、ＦＦＴ処理、フィルタリング、増幅すること、アナログ−デジタル変換からなるグループから選択される、請求項１４または１５記載のデータ獲得システム。
【請求項２１】
取り外し可能コンピュータ可読記憶メディアをさらに含み、前記検査データは、前記取り外し可能コンピュータ可読記憶メディア上に記憶される、請求項１４または請求１５記載のデータ獲得システム。
【請求項２２】
前記検査データをワイヤードまたはワイヤレス通信リンクを通じて離れた位置に伝送するように構成されているネットワークインタフェース
をさらに含む、請求項１４または請求１５記載のデータ獲得システム。
【請求項２３】
電力システムにおけるデータ獲得システムをインストールする方法であって、前記電力システムは、複数の負荷に電力を届ける複数のケーブルを有し、前記方法は、
複数のセンサを前記電力システムの電力コンポーネントに結合することと、前記複数のセンサは、前記電力システムの電力コンポーネントと関連している信号を検出するように構成され、
複数の信号ケーブルを前記複数のセンサから前記電力システムの制限ゾーンの外側のロケーションにルートすることと、
前記電力システムの制限ゾーンの外側にある前記ロケーションにデータ獲得デバイスを固定して配置し、前記データ獲得デバイスに前記複数の信号ケーブルを接続することを含み、前記データ獲得デバイスは、
１つ以上のプロセッサ、
取り外し可能コンピュータ記憶メディアインタフェース、
コンピュータ可読記憶メディア、
プログラム命令を含み、前記プログラム命令は、前記コンピュータ可読記憶メディア上に記憶され、前記１つ以上のプロセッサによって実行されるとき、前記センサによって検出され、前記取り外し可能コンピュータ記憶メディアインタフェースと関連している取り外し可能コンピュータ記憶メディア上の前記データ獲得デバイスにルートされる信号を記憶するように構成されている、方法。
【請求項２４】
前記データ獲得デバイスに電力を供給すること
をさらに含む、請求項２３記載の方法。
【請求項２５】
取り外し可能コンピュータ可読記憶メディアを前記データ獲得デバイスの前記取り外し可能コンピュータ記憶メディアインタフェースに結合すること
を含む、請求項２３及び２４記載の方法。
【請求項２６】
前記複数のセンサは、前記電力システムの前記電力ケーブルに恒久的に結合されており、前記データ獲得デバイスは、前記電力システムの前記制限ゾーンの外側の前記ロケーションに恒久的に取りつけられている、請求項２３記載の方法。
【請求項２７】
前記データ獲得デバイスは、恒久的にアクセスボックスに取り付けられている、請求項２６記載の方法。
【手続補正２】
【補正対象書類名】明細書
【補正対象項目名】００４５
【補正方法】変更
【補正の内容】
【００４５】
排他的財産または特権が特許請求される本発明の実施形態は、以下に定義される。
以下に、本願出願の当初の特許請求の範囲に記載された発明を付記する。
［１］
複数の負荷に電力を供給する複数の電力ケーブルを有する電力システムから１つ以上の放電イベントを獲得するための方法であって、前記方法は、
複数のセンサを備える前記電力システムの電力コンポーネントと関連している信号を検出することと、前記信号は、電力と１つ以上のノイズと放電を含んでおり、前記複数のセンサは、恒久的に前記電力システムと関連しており、
前記信号を前記電力システムとは別個のロケーションに伝送することと、
前記信号を前記ロケーションにおける取り外し可能コンピュータ記憶メディア上に検査データとして記憶すること
を含む方法。
［２］
前記別個のロケーションは、前記電力システムの制限ゾーンの外側に設置されている、［１］記載の方法。
［３］
前記信号を記憶する前に、前記信号を処理すること
をさらに含む、［１］及び［２］記載の方法。
［４］
前記処理は、前記信号をフィルタリングすることと増幅することの少なくとも１つを含む、［３］記載の方法。
［５］
前記処理は、信号圧縮、ゼロスパン処理、ＦＦＴ処理からなるグループから選択される、［３］記載の方法。
［６］
インジケータデータは、前記検査データと合わせて記憶され、前記インジケータデータは、前記複数の電力ケーブルの前記それぞれの電力ケーブルに前記検査データを関連付けるデータを含む、［１］記載の方法。
［７］
前記インジケータデータは、時間と日付データを含む、［６］記載の方法。
［８］
インジケータデータは、前記検査データと合わせて記憶され、前記インジケータデータは、前記複数の電力ケーブルの前記それぞれの電力ケーブルに前記検査データを関連付けるデータを含む、［２］乃至［５］記載の方法。
［９］
前記インジケータデータは、時間と日付データを含む、［８］記載の方法。
［１０］
検査データとして前記信号を記憶することは、少なくとも１つの前記複数の電力ケーブルによって運ばれる前記電力の位相のために前記検査データを参照すること
を含む、［１］記載の方法。
［１１］
検査データとして前記信号を記憶することは、少なくとも１つの前記複数の電力ケーブルによって運ばれる前記電力の位相のために前記検査データを参照すること
を含む、［２］乃至［９］記載の方法。
［１２］
前記検査信号を記憶することは、予め決められたスケジュールに従って周期的に前記検査信号を記憶すること
をさらに含む、［１］記載の方法。
［１３］
前記周期的に、とは、１時間、１日、１週間、隔月、毎月、年４回からなるグループから選択される時間の期間を含む、［１２］記載の方法。
［１４］
前記検査信号を記憶することは、予め決められたスケジュールに従って周期的に前記検査信号を記憶すること
をさらに含む、［２］乃至［１１］記載の方法。
［１５］
前記検査信号を記憶することは、連続して各検査センサと関連している検査信号を記憶すること
をさらに含む、［１］記載の方法。
［１６］
前記検査信号を記憶することは、連続して各検査センサと関連している検査信号を記憶すること
をさらに含む、［２］乃至［１０］記載の方法。
［１７］
前記検査信号を記憶することは、同時に各検査センサと関連している検査信号を記憶すること
をさらに含む、［１］記載の方法。
［１８］
前記検査信号を記憶することは、同時に各検査センサと関連している検査信号を記憶すること
をさらに含む、［２］乃至［１０］記載の方法。
［１９］
前記電力コンポーネントは、複数のケーブルであり、前記信号は、前記複数のケーブルによって運ばれ、前記複数のセンサは、前記複数のケーブルに結合されている、［１］乃至［１８］記載の方法。
［２０］
電力システムの複数の電力コンポーネントと恒久的に関連している複数のセンサと、前記複数のセンサは、前記関連している電力コンポーネントでの放電イベントを感知するように構成され、
前記複数のセンサに結合され、前記電力システムから離れたロケーションにルートされる複数の信号ケーブルと、
前記複数の信号ケーブルに固定して取り付けられ、結合されるデータ獲得ユニットとを含み、前記ユニットは１つ以上のプロセッサ、リアルタイムクロック、取り外し不可能コンピュータ可読記憶メディアとを含み、前記取り外し不可能コンピュータ可読記憶メディアは、プログラム命令を記憶し、前記プログラム命令は、実行されるときに、少なくとも１つの前記複数のセンサによって検出され、選択された時間の期間で検査データとして前記データ獲得ユニットによって受信された信号を記憶するように構成されている、データ獲得システム。
［２１］
前記ロケーションは、前記電力システムの制限ゾーンの外側に設置されている、［２０］記載のデータ獲得システム。
［２２］
前記データ獲得ユニットは、手動作動化スイッチを含み、前記プログラム命令は、実行されるとき、前記スイッチが作動されるときに前記検査データを記憶するように構成されている、［２０］及び［２１］記載のデータ獲得システム。
［２３］
前記プログラム命令は、実行されるとき、スケジュールに従って前記検査データを記憶するように構成されている、［２０］及び［２１］記載のデータ獲得システム。
［２４］
前記スケジュールは、１日、１週間、隔月、毎月、年４回からなるグループから選択される時間の期間を含む、［２３］記載のデータ獲得システム。
［２５］
前記プログラム命令は、実行されるとき、選択されたセンサから検査データを記憶するように構成されている、［２０］乃至［２４］記載のデータ獲得システム。
［２６］
前記プログラム命令は、実行されるとき、少なくとも１つの前記複数の電力ケーブルによって運ばれた前記電力の基準位相を示す信号を受信し、少なくとも１つの前記複数のセンサによって検出され、位相被基準検査データとして前記データ獲得ユニットによって受信された前記信号を記憶するように構成されている、［２０］記載のデータ獲得システム。
［２７］
前記プログラム命令は、実行されるとき、少なくとも１つの前記複数の電力ケーブルによって運ばれた前記電力の基準位相を示す信号を受信し、少なくとも１つの前記複数のセンサによって検出され、位相被基準検査データとして前記データ獲得ユニットによって受信された前記信号を記憶するように構成されている、［２１］乃至［２５］記載のデータ獲得システム。
［２８］
前記信号を処理するように構成された信号処理部を含み、前記信号の前記処理は、信号圧縮、ゼロスパン処理、ＦＦＴ処理、フィルタリング、増幅すること、アナログ−デジタル変換からなるグループから選択される、［２０］記載のデータ獲得システム。
［２９］
前記信号を処理するように構成された信号処理部を含み、前記信号の前記処理は、信号圧縮、ゼロスパン処理、ＦＦＴ処理、フィルタリング、増幅すること、アナログ−デジタル変換からなるグループから選択される、［２１］乃至［２７］記載のデータ獲得システム。
［３０］
取り外し可能コンピュータ可読記憶メディアをさらに含み、前記検査データは、前記取り外し可能コンピュータ可読記憶メディア上に記憶される、［２０］記載のデータ獲得システム。
［３１］
取り外し可能コンピュータ可読記憶メディアをさらに含み、前記検査データは、前記取り外し可能コンピュータ可読記憶メディア上に記憶される、［２１］乃至［２９］記載のデータ獲得システム。
［３２］
前記検査データをワイヤードまたはワイヤレス通信リンクを通じて離れた位置に伝送するように構成されているネットワークインタフェース
をさらに含む、［２０］記載のデータ獲得システム。
［３３］
前記検査データをワイヤードまたはワイヤレス通信リンクを通じて離れた位置に伝送するように構成されたネットワークインタフェース
をさらに含む、［２１］乃至［３１］記載のデータ獲得システム。
［３４］
電力システムにおけるデータ獲得システムをインストールする方法であって、前記電力システムは、複数の負荷に電力を届ける複数のケーブルを有し、前記方法は、
複数のセンサを前記電力システムの電力コンポーネントに結合することと、前記複数のセンサは、前記電力システムの電力コンポーネントと関連している信号を検出するように構成され、
複数の信号ケーブルを前記複数のセンサから前記電力システムの制限ゾーンの外側のロケーションにルートすることと、
前記電力システムの制限ゾーンの外側にある前記ロケーションにデータ獲得デバイスを固定して配置し、前記データ獲得デバイスに前記複数の信号ケーブルを接続することを含み、前記データ獲得デバイスは、
１つ以上のプロセッサ、
取り外し可能コンピュータ記憶メディアインタフェース、
コンピュータ可読記憶メディア、
プログラム命令を含み、前記プログラム命令は、前記コンピュータ可読記憶メディア上に記憶され、前記１つ以上のプロセッサによって実行されるとき、前記センサによって検出され、前記取り外し可能コンピュータ記憶メディアインタフェースと関連している取り外し可能コンピュータ記憶メディア上の前記データ獲得デバイスにルートされる信号を記憶するように構成されている、方法。
［３５］
前記データ獲得デバイスに電力を供給すること
をさらに含む、［３４］記載の方法。
［３６］
取り外し可能コンピュータ可読記憶メディアを前記データ獲得デバイスの前記取り外し可能コンピュータ記憶メディアインタフェースに結合すること
をさらに含む、［３４］及び［３５］記載の方法。
［３７］
前記複数のセンサは、前記電力システムの前記電力ケーブルに恒久的に結合されており、前記データ獲得デバイスは、前記電力システムの前記制限ゾーンの外側の前記ロケーションに恒久的に取りつけられている、［３４］記載の方法。
［３８］
前記複数のセンサは、前記電力システムの前記電力ケーブルに恒久的に結合されており、前記データ獲得デバイスは、前記電力システムの前記制限ゾーンの外側の前記ロケーションに恒久的に取りつけられている、［３５］及び［３６］記載の方法。
［３９］
前記データ獲得デバイスは、恒久的にアクセスボックスに取り付けられている、［３４］記載の方法。
［４０］
前記データ獲得デバイスは、恒久的にアクセスボックスに取り付けられている、［３５］乃至［３８］記載の方法。
【国際調査報告】
2014515111.tif 000011
2014515111.tif 000012
2014515111.tif 000013